(57)【要約】【課題】録画した番組のシリーズ番組の次回以降の放送分を、ユーザが必要と判断した場合のみ録画予約することができる録画再生装置を提供する。【解決手段】コントローラ２０は、録画番組の再生中に、再生停止指示が入力された場合、および再生が終了した場合に、再生した録画番組のシリーズ番組の次回以降の放送分を録画予約する連続録画予約を行うか否かの選択確認をユーザに提示するための連続録画予約確認画面をＯＳＤ重畳部１５により表示させ、この連続録画予約確認画面においてユーザ操作により連続録画予約をすることが選択された場合、録画予約部１８により連続録画予約を設定する。【選択図】図１
2009044322.tif 000002
【特許請求の範囲】
【請求項１】
所望のデジタル放送番組を受信する受信手段と、
前記受信手段で受信したデジタル放送番組を録画する録画手段と、
前記録画手段で録画した録画番組を再生する再生手段と、
所定期間に放送予定の複数の番組の番組名、チャンネル、放送日、放送開始時刻、および放送終了時刻を含む番組情報を外部から取得する番組情報取得手段と、
前記録画番組の番組名、チャンネル、放送日、放送開始時刻、および放送終了時刻を含む録画番組情報を記憶する録画番組情報記憶手段と、
前記録画番組を前記再生手段が再生中に、再生を停止する指示が入力された場合、および前記録画番組の再生が終了した場合に、再生した前記録画番組と略同一の時間帯で週毎、または日毎に放送される番組であるシリーズ番組の次回以降の放送分を録画予約する連続録画予約を行うか否かの選択確認をユーザに提示するための第１の確認画面を生成して表示する第１の確認画面表示手段と、
前記連続録画予約を行う指示が入力された場合、再生した前記録画番組に対応する前記録画番組情報に含まれる番組名と略同一の番組名を、前記番組情報に含まれる複数の番組名のうち、再生した前記録画番組と同一のチャンネルにおいて、再生した前記録画番組と同一の放送時間帯に放送予定の番組の番組名の中から検出する検出手段と、
前記検出手段で前記略同一の番組名が検出された場合に、検出された前記略同一の番組名に対応する番組を、再生した前記録画番組の前記シリーズ番組の次回以降の放送分として連続録画予約を行う録画予約手段と
を備えることを特徴とする録画再生装置。
【請求項２】
前記録画番組が、前記録画予約手段による前記連続録画予約に基づいて前記録画手段で録画した番組である場合において、前記録画番組を前記再生手段が再生中に、再生を停止する指示が入力された場合、および前記録画番組の再生が終了した場合に、再生した前記録画番組に対応する前記連続録画予約を取り消すか否かの選択確認をユーザに提示するための第２の確認画面を生成して表示する第２の確認画面表示手段と、
前記連続録画予約を取り消す指示が入力された場合に、再生した前記録画番組に対応する前記連続録画予約を取り消す取り消し手段と
をさらに備えることを特徴とする請求項１記載の録画再生装置。
【発明の詳細な説明】
【技術分野】
【０００１】
本発明は、デジタル放送番組を録画再生する録画再生装置に関する。
【背景技術】
【０００２】
デジタル放送番組を録画するための装置の一例として、特許文献１に開示されたものがある。この装置では、録画開始時に、現在選局中のチャンネル、現在の曜日および現在時刻に関する情報を記憶する。そして、録画終了時に現在時刻に関する情報を記憶し、さらに連続録画予約確認画面を表示する。そして、この連続録画予約確認画面上で録画予約を設定する旨の操作が行われると、録画開始時および録画終了時に記憶した情報に基づいて、録画した番組のシリーズ番組を自動録画するための録画予約情報を生成する。なお、シリーズ番組とは、週毎または日毎のほぼ同一時間帯に放送される番組である。
【特許文献１】特開２００４−２１５１３６号公報
【発明の開示】
【発明が解決しようとする課題】
【０００３】
特許文献１に記載された装置では、録画した番組を視聴する前に次回以降の放送分まで録画予約することになる。このため、ユーザが録画した番組の内容を確認してから次回以降の放送分を録画するか否かを判断することができず、不要な番組を録画してしまうことがあった。
【０００４】
本発明は上記に鑑みてなされたもので、録画した番組のシリーズ番組の次回以降の放送分を、ユーザが必要と判断した場合のみ録画予約することができる録画再生装置を提供することを目的とする。
【課題を解決するための手段】
【０００５】
上記目的を達成するため、本発明の録画再生装置は、所望のデジタル放送番組を受信する受信手段と、前記受信手段で受信したデジタル放送番組を録画する録画手段と、前記録画手段で録画した録画番組を再生する再生手段と、所定期間に放送予定の複数の番組の番組名、チャンネル、放送日、放送開始時刻、および放送終了時刻を含む番組情報を外部から取得する番組情報取得手段と、前記録画番組の番組名、チャンネル、放送日、放送開始時刻、および放送終了時刻を含む録画番組情報を記憶する録画番組情報記憶手段と、前記録画番組を前記再生手段が再生中に、再生を停止する指示が入力された場合、および前記録画番組の再生が終了した場合に、再生した前記録画番組と略同一の時間帯で週毎、または日毎に放送される番組であるシリーズ番組の次回以降の放送分を録画予約する連続録画予約を行うか否かの選択確認をユーザに提示するための第１の確認画面を生成して表示する第１の確認画面表示手段と、前記連続録画予約を行う指示が入力された場合、再生した前記録画番組に対応する前記録画番組情報に含まれる番組名と略同一の番組名を、前記番組情報に含まれる複数の番組名のうち、再生した前記録画番組と同一のチャンネルにおいて、再生した前記録画番組と同一の放送時間帯に放送予定の番組の番組名の中から検出する検出手段と、前記検出手段で前記略同一の番組名が検出された場合に、検出された前記略同一の番組名に対応する番組を、再生した前記録画番組の前記シリーズ番組の次回以降の放送分として連続録画予約を行う録画予約手段とを備えることを特徴とする。
【０００６】
また、本発明の録画再生装置は、前記録画番組が、前記録画予約手段による前記連続録画予約に基づいて前記録画手段で録画した番組である場合において、前記録画番組を前記再生手段が再生中に、再生を停止する指示が入力された場合、および前記録画番組の再生が終了した場合に、再生した前記録画番組に対応する前記連続録画予約を取り消すか否かの選択確認をユーザに提示するための第２の確認画面を生成して表示する第２の確認画面表示手段と、前記連続録画予約を取り消す指示が入力された場合に、再生した前記録画番組に対応する前記連続録画予約を取り消す取り消し手段とをさらに備えることを特徴とする。
【発明の効果】
【０００７】
本発明の録画再生装置によれば、録画した番組のシリーズ番組の次回以降の放送分を、ユーザが必要と判断した場合のみ録画予約することができる。
【発明を実施するための最良の形態】
【０００８】
以下、本発明を実施するための最良の形態について、図面を参照して説明する。
【０００９】
図１は、本発明の実施の形態に係る録画再生装置の構成を示すブロック図である。図１に示すように本実施の形態に係る録画再生装置１０は、ＮＩＭ（Network Interface Module）１１と、デスクランブラ１２と、デマルチプレクサ１３と、デコーダ１４と、ＯＳＤ（On Screen Display）重畳部１５と、番組情報設定部１６と、録画再生部１７と、録画予約部１８と、リモコンＩ／Ｆ１９と、コントローラ２０と、メモリ２１とを備える。
【００１０】
ＮＩＭ１１は、アンテナ２２を介してデジタル放送電波から所望のチャンネルを受信し、この受信したチャンネルの信号に復調処理や誤り訂正処理等を施して、ＭＰＥＧ（Moving Picture Experts Group）のトランスポートストリーム（ＴＳ：Transport Stream）を出力する。
【００１１】
デスクランブラ１２は、ＮＩＭ１１からのトランスポートストリームにスクランブルが施されている場合に、デスクランブルを行う。デスクランブラ１２から出力されるトランスポートストリームには、複数の番組の、映像データと、音声データと、付加データとが多重化されている。付加データには、ＰＡＴ（Program Association Table）、ＰＭＴ（Program Map Table）などの、特定番組を選択するための情報であるＰＳＩ（Program Specific Information）や、所定期間に放送予定の複数の番組の番組名、番組説明などの番組の詳細情報が記述されるＥＩＴ（Event Information Table）などのＳＩ（Service Information）が含まれている。
【００１２】
デマルチプレクサ１３は、トランスポートストリームに含まれるＰＡＴ，ＰＭＴなどを抽出し、その情報に基づき、コントローラ２０からの指示により、所望の番組に関連する映像データおよび音声データを特定し、これをデコーダ１４に出力する。
【００１３】
また、デマルチプレクサ１３は、録画時には、所望の番組に関連するデジタルストリームを選択してパーシャルトランスポートストリーム（パーシャルＴＳ）を生成し、このパーシャルＴＳを録画再生部１７に出力する。
【００１４】
デコーダ１４は、デマルチプレクサ１３で特定された映像データおよび音声データをデコードし、デコードしたアナログ映像信号をＯＳＤ重畳部１５へ出力し、アナログ音声信号をスピーカ２４へ出力する。
【００１５】
ＯＳＤ重畳部１５は、後述の連続録画予約確認画面３０、連続録画予約取消確認画面３５や、電子番組表（ＥＰＧ：Electronic Program Guide）画面などをアナログ映像信号に重畳してモニタ２３に表示する。
【００１６】
番組情報設定部１６は、録画中にデマルチプレクサ１３からＥＩＴを受け取り、ＥＩＴから録画中の番組の番組名、放送日、放送開始時刻、放送終了時刻、チャンネルなどの情報を取得し、これらの情報を録画番組情報として録画再生部１７に記憶する。
【００１７】
録画再生部１７は、ハードディスク等の大容量の記憶媒体を有しており、録画時においてデマルチプレクサ１３で生成されたパーシャルＴＳや録画番組情報等をこの記憶媒体に記憶する。
【００１８】
録画予約部１８は、録画予約する番組の番組名、チャンネル、放送日、放送開始時刻、放送終了時刻、および繰り返しパターンを録画予約情報として設定する。ここで、繰り返しパターンは、毎週あるいは毎日指定の時刻に放送される繰り返し性を有するシリーズ番組における毎週、毎日などの放送日のパターンである。
【００１９】
リモコンＩ／Ｆ１９は、図示しないリモコンから送信される赤外線によりコマンドを取得する。
【００２０】
コントローラ２０は、録画再生装置１０に設けられた各部を統括的に制御する。また、コントローラ２０は、デマルチプレクサ１３から番組情報設定部１６を介してＥＩＴを受け取り、ＥＩＴから得られる情報を電子番組表用の情報に整理しなおして電子番組表情報を生成する。
【００２１】
メモリ２１は、コントローラ２０により生成される電子番組表情報を記憶する。なお、電子番組表情報は、インターネットを介してインターネットサイトから取得する等してもよい。
【００２２】
次に、録画再生装置１０の動作について説明する。まず、放送番組を受信して再生する際の動作について説明する。
【００２３】
ＮＩＭ１１は、コントローラ２０からの指示により、アンテナ２２を介して受信した所望のチャンネルの信号に復調処理や誤り訂正処理等を施したトランスポートストリームを出力する。
【００２４】
デスクランブラ１２は、ＮＩＭ１１からのトランスポートストリームに対して、必要に応じてデスクランブルを行う。
【００２５】
次いで、デマルチプレクサ１３は、デスクランブラ１２からのトランスポートストリームに含まれるＰＡＴ，ＰＭＴなどを抽出し、その情報に基づき、コントローラ２０からの指示により、所望の番組に関連する映像データおよび音声データを特定し、これをデコーダ１４に出力する。
【００２６】
そして、デコーダ１４は、デマルチプレクサ１３で特定された映像データおよび音声データをデコードし、デコードしたアナログ映像信号およびアナログ音声信号を出力する。アナログ映像信号はＯＳＤ重畳部１５を介してモニタ２３に出力され、アナログ音声信号はスピーカ２４より音声として出力される。
【００２７】
次に、録画時の動作について説明する。
【００２８】
ＮＩＭ１１は、コントローラ２０からの指示により、アンテナ２２を介して受信した所望のチャンネルの信号に復調処理や誤り訂正処理等を施したトランスポートストリームを出力する。
【００２９】
デスクランブラ１２は、ＮＩＭ１１からのトランスポートストリームに対して、必要に応じてデスクランブルを行う。
【００３０】
次いで、デマルチプレクサ１３は、デスクランブラ１２から入力されるトランスポートストリームから所望の番組に関連するデジタルストリームを選択してパーシャルＴＳを生成し、このパーシャルＴＳを録画再生部１７に記録する。
【００３１】
この際、番組情報設定部１６は、デマルチプレクサ１３からＥＩＴを受け取り、このＥＩＴから録画中の番組の番組名、放送日、放送開始時刻、放送終了時刻、チャンネルなどの情報を取得し、これらの情報を録画番組情報として録画再生部１７に記憶する。
【００３２】
次に、録画した番組を再生する際の動作について説明する。
【００３３】
再生時には、コントローラ２０からの指示により、録画再生部１７から所望の番組に関連するパーシャルＴＳがデマルチプレクサ１３に供給される。
【００３４】
デマルチプレクサ１３は、録画再生部１７からのパーシャルＴＳに含まれるＰＡＴ，ＰＭＴなどを抽出し、その情報に基づき、所望の番組に関連する映像データおよび音声データを特定し、これをデコーダ１４に出力する。
【００３５】
そして、デコーダ１４は、デマルチプレクサ１３からの映像データおよび音声データをデコードし、デコードしたアナログ映像信号およびアナログ音声信号を出力する。アナログ映像信号はＯＳＤ重畳部１５を介してモニタ２３に出力され、アナログ音声信号はスピーカ２４より音声として出力される。
【００３６】
次に、録画再生装置１０において、再生した録画番組のシリーズ番組の次回以降の放送分を録画予約する連続録画予約を行う手順について、図２に示すフローチャートを参照して説明する。
【００３７】
まず、ステップＳ１０において、上述のような動作により、録画番組を再生する。次いで、ステップＳ２０において、コントローラ２０は、リモコンＩ／Ｆ１９を介してユーザ操作に応じた再生停止指示が入力されたか否かを判断し、再生停止指示が入力された場合（ステップＳ２０：ＹＥＳ）、再生を停止した後、ステップＳ４０に進む。再生停止指示が入力されない場合（ステップＳ２０：ＮＯ）、ステップＳ３０に進む。
【００３８】
ステップＳ３０では、コントローラ２０は、再生中の録画番組の再生が終了したか否かを判断する。再生が終了した場合（ステップＳ３０：ＹＥＳ）、ステップＳ４０に進み、再生が終了していない場合（ステップＳ３０：ＮＯ）、ステップＳ２０に戻り、以降の処理を繰り返す。
【００３９】
ステップＳ４０では、コントローラ２０は、再生した録画番組のシリーズ番組の次回以降の放送分を録画予約する連続録画予約を行うか否かの選択確認をユーザに提示するための連続録画予約確認画面を生成してモニタ２３に表示するようにＯＳＤ重畳部１５を制御する。
【００４０】
ここで表示される連続録画予約確認画面の一例を図３に示す。図３において、連続録画予約確認画面３０には、再生した録画番組のシリーズ番組の次回以降の放送分を録画予約するか否かの質問を表すメッセージ３１と、録画予約することを選択するためのボタン３２と、録画予約しないことを選択するためのボタン３３とが表示される。
【００４１】
次いで、ステップＳ５０において、コントローラ２０は、ユーザ操作に応じて、録画予約することを選択するためのボタン３２を選択する指示がリモコンＩ／Ｆ１９を介して入力されたか否かを判断する。ボタン３２を選択する指示が入力された場合（ステップＳ５０：ＹＥＳ）、ステップＳ６０に進み、録画予約しないことを選択するためのボタン３３を選択する指示が入力された場合（ステップＳ５０：ＮＯ）、処理を終了する。ここで、ボタン３２，３３のいずれも選択されないまま所定時間が経過した場合には、ボタン３３が選択されたものとして処理を終了する。
【００４２】
ステップＳ６０では、コントローラ２０は、再生した録画番組に対応する録画番組情報を録画再生部１７から読み出す。そして、電子番組表情報に含まれる複数の番組名のうち、再生した録画番組と同一のチャンネルにおいて、再生した録画番組と同一の放送時間帯に放送予定の番組の番組名の中から、前述の録画番組情報に含まれる番組名と同一の番組名を検索する。電子番組表情報は、コントローラ２０において、デマルチプレクサ１３から番組情報設定部１６を介して受け取ったＥＩＴから得られる情報を電子番組表用の情報に整理しなおすことで生成され、メモリ２１に記憶されている。電子番組表情報には、所定期間に放送予定の複数の番組の番組名、放送日、放送開始時刻、放送終了時刻、チャンネルの情報などが含まれている。
【００４３】
ここで、番組名が同一であるか否かの判断は、完全一致に限らず、余裕幅を持たせて判断するようにしてもよい。例えば、比較元となる録画番組情報の番組名の文字列に対し、比較先である電子番組表情報の番組名を１文字ごとに分解し、先頭の文字から順に比較元に現れる頻度をカウントし、比較元の文字数の例えば８割以上が同じであれば同一の番組名であると判断するようにしてもよい。
【００４４】
次いで、ステップＳ７０において、コントローラ２０は、ステップＳ６０における検索の結果、同一の番組名が存在するか否かを判断する。同一の番組名が存在する場合（ステップＳ７０：ＹＥＳ）、ステップＳ８０に進み、同一の番組名が存在しない場合（ステップＳ７０：ＮＯ）、処理を終了する。
【００４５】
そして、ステップＳ８０において、コントローラ２０は、検出した同一の番組名に対応する番組について、その番組名、チャンネル、放送日、放送開始時刻、放送終了時刻、および繰り返しパターンの情報を電子番組表情報から取得し、これらの情報を連続録画予約の録画予約情報として設定するように録画予約部１８を制御する。これにより、検出した同一の番組名に対応する番組が、再生した録画番組のシリーズ番組の次回以降の放送分として連続録画予約される。
【００４６】
次に、上記のような処理により設定された連続録画予約が不要になったとユーザが判断したときに、その連続録画予約を取り消す手順について、図４に示すフローチャートを参照して説明する。
【００４７】
まず、ステップＳ１１０において、連続録画予約の録画予約情報に基づいて録画した番組を再生する。次いで、ステップＳ１２０において、コントローラ２０は、リモコンＩ／Ｆ１９を介してユーザ操作に応じた再生停止指示が入力されたか否かを判断し、再生停止指示が入力された場合（ステップＳ１２０：ＹＥＳ）、再生を停止した後、ステップＳ１４０に進む。再生停止指示が入力されない場合（ステップＳ１２０：ＮＯ）、ステップＳ１３０に進む。
【００４８】
ステップＳ１３０では、コントローラ２０は、再生中の録画番組の再生が終了したか否かを判断する。再生が終了した場合（ステップＳ１３０：ＹＥＳ）、ステップＳ１４０に進み、再生が終了していない場合（ステップＳ１３０：ＮＯ）、ステップＳ１２０に戻り、以降の処理を繰り返す。
【００４９】
ステップＳ１４０では、コントローラ２０は、再生した録画番組について設定された連続録画予約を取り消すか否かの選択確認をユーザに提示するための連続録画予約取消確認画面を生成してモニタ２３に表示するようにＯＳＤ重畳部１５を制御する。
【００５０】
ここで表示される連続録画予約取消確認画面の一例を図５に示す。図５において、連続録画予約取消確認画面３５には、連続録画予約を取り消すか否かの質問を表すメッセージ３６と、連続録画予約を取り消すことを選択するためのボタン３７と、取り消さないことを選択するためのボタン３８とが表示される。
【００５１】
次いで、ステップＳ１５０において、コントローラ２０は、ユーザ操作に応じて、連続録画予約を取り消すことを選択するためのボタン３７を選択する指示がリモコンＩ／Ｆ１９を介して入力されたか否かを判断する。ボタン３７を選択する指示が入力された場合（ステップＳ１５０：ＹＥＳ）、ステップＳ１６０に進み、連続録画予約を取り消さないことを選択するためのボタン３８を選択する指示が入力された場合（ステップＳ１５０：ＮＯ）、そのまま処理を終了する。ここで、ボタン３７，３８のいずれも選択されないまま所定時間が経過した場合には、ボタン３８が選択されたものとして処理を終了する。
【００５２】
ステップＳ１６０では、コントローラ２０は、再生した録画番組について設定された連続録画予約の録画予約情報を消去するように録画予約部１８を制御する。これにより、連続録画予約が取り消される。
【００５３】
なお、図２のフローチャートに示した処理により設定された連続録画予約に限らず、通常のユーザ操作により設定された連続放送番組の録画予約についても、図４に示したフローチャートと同様の手順により取り消すことができるようにしてもよい。
【００５４】
上記説明のように本実施の形態によれば、録画番組の再生中に、再生停止指示が入力された場合、および再生が終了した場合に、連続録画予約確認画面３０を表示し、ユーザ操作により録画予約をすることが選択された場合、次回以降の放送分を連続録画予約するので、録画した番組のシリーズ番組の次回以降の放送分を、ユーザが必要と判断した場合のみ録画予約し、不要な番組の録画を回避することができる。
【００５５】
また、連続録画予約による録画番組の再生中に、再生停止指示が入力された場合、および再生が終了した場合に、連続録画予約取消確認画面３５を表示し、ユーザ操作により連続録画予約を取り消すことが選択された場合に連続録画予約を取り消すので、不要な番組の録画を回避することができる。
【図面の簡単な説明】
【００５６】
【図１】本発明の実施の形態に係る録画再生装置の構成を示すブロック図である。
【図２】連続録画予約を行う手順を示すフローチャートである。
【図３】連続録画予約確認画面の一例を示す図である。
【図４】連続録画予約を取り消す手順を示すフローチャートである。
【図５】連続録画予約取消確認画面の一例を示す図である。
【符号の説明】
【００５７】
１０  録画再生装置
１１  ＮＩＭ
１２  デスクランブラ
１３  デマルチプレクサ
１４  デコーダ
１５  ＯＳＤ重畳部
１６  番組情報設定部
１７  録画再生部
１８  録画予約部
１９  リモコンＩ／Ｆ
２０  コントローラ
２１  メモリ
２２  アンテナ
２３  モニタ
２４  スピーカ
３０  連続録画予約確認画面
３５  連続録画予約取消確認画面
【図１】
2009044322.tif 000003
【図２】
2009044322.tif 000004
【図３】
2009044322.tif 000005
【図４】
2009044322.tif 000006
【図５】
2009044322.tif 000007